(57)【要約】  生体認証のためのコンピュータ・システム１により実行される方法。第１の人間６のものであるとされている第１の指紋データ１２を取得するステップと、第２の人間９のものであるとされている第２の指紋データを取得するステップとを含む方法。第１の指紋データ１２を取得するステップが、第２の指紋データ１４を取得するステップから、第１の所定の時間間隔１７の中で遂行される場合、取得された第１の指紋データ１２、及び、取得された第２の指紋データ１４を、それぞれ、第１の人間６及び第２の人間９の記憶される指紋データ８と比較する。それぞれ、第１の人間６及び第２の人間９の記憶される指紋データ８と比較される、第１の指紋データ１２及び第２の指紋データ１４の両方に対して、一致が確認されるときに、肯定的指示１５を提供する。
2020517007.tif 000002
【特許請求の範囲】
【請求項１】
第１（２）又は第２の部類（３）の人間の生体認証のためのコンピュータ・システム（１）により実行される方法であって、前記コンピュータ・システム（１）は、前記第１の部類（２）の第１の人間（６）の記憶される一意的な識別子（４）及び指紋データ（５）、並びに、前記第２の部類（３）の第２の人間（９）の記憶される一意的な識別子（７）及び指紋データ（８）へのアクセスを有し、前記方法は、
前記第１の人間（６）の前記一意的な識別子（４）を、コンピュータ（１１）のユーザ・インターフェイス（１０）において受信するステップと、
前記第２の人間（９）の前記一意的な識別子（７）を、前記コンピュータ（１１）の前記ユーザ・インターフェイス（１０）において受信するステップと、
第１の指紋データ（１２）を、前記コンピュータ（１１）の指紋リーダ（１３）において取得するステップであって、前記第１の指紋データ（１２）は、前記第１の人間（６）のものであるとされている、取得するステップと、
第２の指紋データ（１４）を、前記コンピュータ（１１）の前記指紋リーダ（１３）において取得するステップであって、前記第２の指紋データ（１４）は、前記第２の人間（９）のものであるとされている、取得するステップと、
前記第１の指紋データ（１２）を取得する前記ステップが、前記第２の指紋データ（１４）を取得する前記ステップから、第１の所定の時間間隔（１７）の中で遂行される場合、
取得された前記第１の指紋データ（１２）を、前記第１の人間（６）の記憶される前記指紋データ（５）と比較するステップと、
取得された前記第２の指紋データ（１４）を、前記第２の人間（９）の記憶される前記指紋データ（８）と比較するステップと、
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対して、一致が確認されるときに、肯定的指示（１５）を、前記コンピュータ（１１）の前記ユーザ・インターフェイス（１０）上で提供するステップと
を含む、方法。
【請求項２】
前記第１の人間（６）の記憶される前記指紋データ（５）と比較される前記第１の指紋データ（１２）に対する、確認された一致に応答して、前記方法は、
確認された前記第１の人間（６）の画像（１６）を、前記一致が確認された後の第２の所定の時間間隔（１８）の中で捕捉するステップと、
捕捉された前記画像（１６）を、前記第１の人間（６）の記憶される前記一意的な識別子（４）、及び、記憶される指紋データ（５）と関連して、並びに、場合によってはさらに、捕捉する前記ステップの時間（１９）及び日付（２０）と関連して記憶するステップと
を含む、請求項１に記載の方法。
【請求項３】
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対する、確認された一致に応答して、前記方法は、
前記コンピュータ・システム（１）に通信可能に接続されるデバイス（２１）を、ロック解除及び／又はロックすることを、
前記デバイス（２１）にロック解除信号（２２）を送出すること
により行うステップ
を含む、請求項１又は２に記載の方法。
【請求項４】
前記第１の部類（２）の前記第１の人間（６）の記憶される一意的な識別子（４）及び指紋データ（５）への前記コンピュータ・システムのアクセスを達成するために、前記方法は、
前記第１の人間（６）の一意的な識別子（４）を追加するための指示を、前記コンピュータ（１１）の前記ユーザ・インターフェイス（１０）において受信するステップと、
前記第１の人間（６）の前記一意的な識別子（４）を、前記コンピュータ（１１）の前記ユーザ・インターフェイス（１０）において受信するステップと、
前記第１の人間（６）の前記一意的な識別子（４）を記憶するステップと、
前記第１の人間（６）の指紋データ（５）を追加するための指示を、前記コンピュータ（１１）の前記ユーザ・インターフェイス（１０）において受信するステップと、
前記第１の人間（６）の前記指紋データ（５）を、前記コンピュータ（１１）の前記指紋リーダ（１３）において取得するステップと、
前記第１の人間（６）の前記指紋データ（５）を、前記第１の人間（６）の記憶される前記一意的な識別子（４）と関連して、並びに、場合によってはさらに、取得する前記ステップの時間（１９）及び日付（２０）と関連して記憶するステップと
を含む、請求項１から３までのいずれかに記載の方法。
【請求項５】
前記第２の部類（３）の前記第２の人間（９）の記憶される一意的な識別子（７）及び指紋データ（８）への前記コンピュータ・システムのアクセスを達成するために、前記方法は、
前記第２の人間（９）の一意的な識別子（７）を追加するための指示を、前記コンピュータ（１１）の前記ユーザ・インターフェイス（１０）において受信するステップと、
前記第２の人間（９）の前記一意的な識別子（７）を、前記コンピュータ（１１）の前記ユーザ・インターフェイス（１０）において受信するステップと、
前記第２の人間（９）の前記一意的な識別子（７）を記憶するステップと、
前記第２の人間（９）の指紋データ（８）を追加するための指示を、前記コンピュータ（１１）の前記ユーザ・インターフェイス（１０）において受信するステップと、
前記第２の人間（９）の前記指紋データ（８）を、前記コンピュータ（１１）の前記指紋リーダ（１３）において取得するステップと、
前記第２の人間（９）の前記指紋データ（８）を、前記第２の人間（９）の記憶される前記一意的な識別子（７）と関連して、並びに、場合によってはさらに、取得する前記ステップの時間（１９）及び日付（２０）と関連して記憶するステップと
を含む、請求項１から４までのいずれかに記載の方法。
【請求項６】
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の任意のものに対して、一致が確認されないときに応答して、前記方法は、
否定的指示（２５）を、前記コンピュータ（１１）の前記ユーザ・インターフェイス（１０）上で提供するステップ
を含む、請求項１から５までのいずれかに記載の方法。
【請求項７】
前記肯定的指示（１５）又は前記否定的指示（２５）が提供されたときに、前記方法は、
前記肯定的指示（１５）又は前記否定的指示（２５）を、前記第１（６）及び前記第２の人間（９）の、記憶される前記一意的な識別子（４、７）、及び、記憶される前記指紋データ（５、８）と関連して、並びに、場合によってはさらに、比較する前記ステップの時間（１９）及び日付（２０）と関連して記憶するステップ
を含む、請求項１から６までのいずれかに記載の方法。
【請求項８】
第１（２）又は第２の部類（３）の人間の生体認証のためのコンピュータ・システム（１）であって、前記第１の部類（２）の第１の人間（６）の記憶される一意的な識別子（４）及び指紋データ（５）、並びに、前記第２の部類（３）の第２の人間（９）の記憶される一意的な識別子（７）及び指紋データ（８）へのアクセスを有し、
前記第１の人間（６）の前記一意的な識別子（４）を、コンピュータ（１１）のユーザ・インターフェイス（１０）において受信することと、
前記第２の人間（９）の前記一意的な識別子（７）を、前記コンピュータ（１１）の前記ユーザ・インターフェイス（１０）において受信することと、
第１の指紋データ（１２）を、前記コンピュータ（１１）の指紋リーダ（１３）において取得することであって、前記第１の指紋データ（１２）は、前記第１の人間（６）のものであるとされている、取得することと、
第２の指紋データ（１４）を、前記コンピュータ（１１）の前記指紋リーダ（１３）において取得することであって、前記第２の指紋データ（１４）は、前記第２の人間（９）のものであるとされている、取得することと、
前記第１の指紋データ（１２）を前記取得することが、前記第２の指紋データ（１４）を前記取得することから、第１の所定の時間間隔（１７）の中で遂行される場合、
取得された前記第１の指紋データ（１２）を、前記第１の人間（６）の記憶される前記指紋データ（５）と比較することと、
取得された前記第２の指紋データ（１４）を、前記第２の人間（９）の記憶される前記指紋データ（８）と比較することと、
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対して、一致が確認されるときに、肯定的指示（１５）を、前記コンピュータ（１１）の前記ユーザ・インターフェイス（１０）上で提供することと
を行うように配置構成される、コンピュータ・システム（１）。
【請求項９】
請求項８に記載のコンピュータ・システム上で実行されるときに、前記コンピュータ・システムに、請求項１から７までのいずれかに記載の対応する方法を実行させる、コンピュータ可読コード手段を含むコンピュータ・プログラム。
【請求項１０】
コンピュータ可読媒体と、請求項９に記載のコンピュータ・プログラムとを含むコンピュータ・プログラム製品であって、前記コンピュータ・プログラムは、前記コンピュータ可読媒体上に記憶される、コンピュータ・プログラム製品。
【発明の詳細な説明】
【技術分野】
【０００１】
本発明は、第１又は第２の部類の人間の生体認証のためのコンピュータ・システムにより実行される方法に関する。
【背景技術】
【０００２】
生体認証システムの第１世代が、ここ１０年間において世界市場で導入されてきた。これらのシステムは、主として、特定の地理的場所における認証のために開発されてきた。最近では、ラップトップ及びスマートフォンを含む、一部のモバイル・コンピュータ・システムがまた、ハードウェア内に含まれる生体認証デバイスを有するようになった。
【０００３】
医師対患者、又は、歯科医対患者、又は、試験者／教師対学生、又は、小包／封筒の配達人対受取人などの、人々の異なる部類に属する少なくとも２人の人間の認証は、近い将来において、例えば、事業活動、ヘルス・ケア・システム、及び教育システムの、重要な特徴になるであろう。
【０００４】
例えば、患者の検査が行われたとされているが、実際にはそのような検査は行われていないという、ヘルス・ケア及び歯科部門における保険詐欺に起因して、比較的大きい額の金銭が毎年失われている。このタイプの詐欺は、民間の、及び／又は、税金を資金とする、ヘルス・ケア及び歯科システムへの、さらなる経済的負担を引き起こす。
【０００５】
試験において署名して入場する受験者が、実際には当の学生ではなかったという事件が明らかにされている。このタイプの詐欺は、奨学金制度の認識、及び、総体的な信用を傷付けるものである。
【０００６】
実際には真実でない、真の名宛人であると主張している小包及び封筒の受取人は、私的及び商業的な経済的損失、並びに、商業的活動におけるさらなる混乱を引き起こすことがある。
【０００７】
所定の時間においての、１つの地理的位置における、人々の異なる部類に属する少なくとも２人の人間の認証をサポートする、上市されている生体認証システムは存在しない。現在のハードウェア及びソフトウェアは、一度に１人の個人を認証するように開発されている。これらのシステムは、上記の説明された状況における詐欺の問題を完全に解決するとは限らない。ヘルス・ケア及び歯科部門内の一部の要員は、検査が遂行されたということを、このことが正しくないとしても、例えば生体認証により確認することがある。例えば、この行為を誘発するための経済的理由が存在することがある。当の検査に対する日付及び時間においての、１つの地理的位置における、患者及び医療要員の両方の生体認証を提供しなければならないことが、詐欺の危険性を大きく減少させる。
【０００８】
指紋を比較することによる生体認証は、十分に証明されている技法である。さらにまた、上市されて利用可能な相当数の異なる電子指紋リーダが存在する。
【０００９】
それゆえに、所定の時間においての、１つの地理的位置における、少なくとも第１及び第２の部類の人間の生体認証のためのシステムを完成することが望ましい。さらにまた、システムは、指紋データの、何らかのタイプの比較技法を使用すべきである。さらには、説明される技術をサポートする解決策において実現される追加的なセキュリティ特徴が存在すべきである。
【発明の概要】
【発明が解決しようとする課題】
【００１０】
本発明の目的は、かくして、指紋データの、何らかのタイプの比較技法を使用し、解決策において実現される追加的なセキュリティ特徴を有する、所定の時間においての、１つの地理的位置における、第１又は第２の部類の人間の生体認証のためのコンピュータ・システムにより実行される方法を完成することである。
【課題を解決するための手段】
【００１１】
１つの態様によれば、本発明は、第１又は第２の部類の人間の生体認証のためのコンピュータ・システムにより実行される方法に関わる。そこにおいて、コンピュータ・システムは、第１の部類の第１の人間の記憶される一意的な識別子及び指紋データ、並びに、第２の部類の第２の人間の記憶される一意的な識別子及び指紋データへのアクセスを有する。第１の人間の一意的な識別子を、コンピュータのユーザ・インターフェイスにおいて受信するステップと、第２の人間の一意的な識別子を、コンピュータのユーザ・インターフェイスにおいて受信するステップと、第１の指紋データを、コンピュータの指紋リーダにおいて取得するステップとを含む方法。第１の指紋データは第１の人間のものであるとされており、第２の指紋データを、コンピュータの指紋リーダにおいて取得する。第２の指紋データは第２の人間のものであるとされており、第１の指紋データの取得することが、第２の指紋データの取得することから、第１の所定の時間間隔の中で遂行されるならば、取得された第１の指紋データを、第１の人間の記憶される指紋データと比較し、取得された第２の指紋データを、第２の人間の記憶される指紋データと比較し、第１の人間の記憶される指紋データと比較される第１の指紋データ、及び、第２の人間の記憶される指紋データと比較される第２の指紋データの両方に対して、一致が確認されるときに、肯定的指示を、コンピュータのユーザ・インターフェイス上で提供する。
【００１２】
所定の時間において、１つの地理的位置において、生体認証が検証されるために、掛かり合いのある２つの異なる部類の２人の人間が、常に、短時間の中で存在しなければならないという事実は、説明される方法、及び、発生する社会的制御が、コンピュータ／制御システムの詐欺／改ざんの危険性を劇的に減少させるということを示唆する。このことは、全体として、組織及び／又は社会における潜在的な財務的損失の危険性を減少させる。
【００１３】
上記の方法は、異なる任意選択の実施例によって構成され得る。例えば、そこにおいて、第１の人間の記憶される指紋データと比較される第１の指紋データに対する、確認された一致に応答して、方法は、確認された第１の人間の画像を、一致が確認された後の第２の所定の時間間隔の中で捕捉し、捕捉された画像を、第１の人間の記憶される一意的な識別子、及び、記憶される指紋データと関連して、並びに、場合によってはさらに、捕捉することの時間及び日付と関連して記憶し得る。
【００１４】
確認された第１の人間の画像を捕捉することは、コンピュータ・システムの所有者に、確認された第１の人間のアイデンティティを確認するさらなる可能性を提供することになる。そのことは、さらには、潜在的な詐欺師が、他の誰かとして受け付けられる／確認されることを試みないことになるという可能性を高める。
【００１５】
捕捉された画像を、記憶される他の個人データと関連して、並びに、場合によってはさらに、捕捉することの時間及び日付と関連して記憶することは、コンピュータ・システムの所有者に、事象が発生したということを再確認する、プロセスにおける後程の可能性を提供することになる。
【００１６】
本発明の実施例によれば、そこにおいて、第１の人間の記憶される指紋データと比較される第１の指紋データ、及び、第２の人間の記憶される指紋データと比較される第２の指紋データの両方に対する、確認された一致に応答して、方法は、コンピュータ・システムに通信可能に接続されるデバイスを、ロック解除及び／又はロックすることを、そのデバイスにロック解除信号を送出することにより行うステップを含み得る。
【００１７】
コンピュータ・システムに通信可能に接続されるデバイスを、ロック解除／ロックすることを、そのデバイスにロック解除信号を送出することにより行う可能性を与えることは、例えば、所定の医療／歯科処置のための医療／歯科デバイスをロック解除／ロックすること、ドア／ゲートを、少なくとも２人の人間からの生体的認証に基づいてロック解除／ロックすること、所定の処置のための他の技術的デバイスをロック解除／ロックすることを行う可能性を与えることになる。
【００１８】
本発明の実施例によれば、そこにおいて、第１の部類の第１の人間の記憶される一意的な識別子及び指紋データへのコンピュータ・システムのアクセスを達成するために、方法は、第１の人間の一意的な識別子を追加するための指示を、コンピュータのユーザ・インターフェイスにおいて受信するステップと、第１の人間の一意的な識別子を、コンピュータのユーザ・インターフェイスにおいて受信するステップと、第１の人間の一意的な識別子を記憶するステップと、第１の人間の指紋データを追加するための指示を、コンピュータのユーザ・インターフェイスにおいて受信するステップと、第１の人間の指紋データを、コンピュータの指紋リーダにおいて取得するステップと、第１の人間の指紋データを、第１の人間の記憶される一意的な識別子と関連して、並びに、場合によってはさらに、取得することの時間及び日付と関連して記憶するステップとを含み得る。
【００１９】
コンピュータ・システムが、使用し、システムにより確認されることになっている第１の人間の個人データを、説明されたプロセスより前に、受信／収集及び記憶する可能性を提供することにより、コンピュータ・システムは、生体的及び個人データの収集から、記憶されるデータとの生体的及び個人データの比較による、当の第１の人間の確認までの、プロセス全部をカバーするためのスタンド・アローン・システムとして機能することができる。
【００２０】
本発明の実施例によれば、そこにおいて、第２の部類の第２の人間の記憶される一意的な識別子及び指紋データへのコンピュータ・システムのアクセスを達成するために、方法は、第２の人間の一意的な識別子を追加するための指示を、コンピュータのユーザ・インターフェイスにおいて受信するステップと、第２の人間の一意的な識別子を、コンピュータのユーザ・インターフェイスにおいて受信するステップと、第２の人間の一意的な識別子を記憶するステップと、第２の人間の指紋データを追加するための指示を、コンピュータのユーザ・インターフェイスにおいて受信するステップと、第２の人間の指紋データを、コンピュータの指紋リーダにおいて取得するステップと、第２の人間の指紋データを、第２の人間の記憶される一意的な識別子と関連して、並びに、場合によってはさらに、取得することの時間及び日付と関連して記憶するステップとを含み得る。
【００２１】
コンピュータ・システムが、使用し、システムにより確認されることになっている第２の人間の個人データを、説明されたプロセスより前に、受信／収集及び記憶する可能性を提供することにより、コンピュータ・システムは、生体的及び個人データの収集から、記憶されるデータとの生体的及び個人データの比較による、当の第２の人間の確認までの、プロセス全部をカバーするためのスタンド・アローン・システムとして機能することができる。
【００２２】
本発明の実施例によれば、そこにおいて、第１の人間の記憶される指紋データと比較される第１の指紋データ、及び、第２の人間の記憶される指紋データと比較される第２の指紋データの任意のものに対して、一致が確認されないときに応答して、方法は、否定的指示を、コンピュータのユーザ・インターフェイス上で提供するステップを含み得る。
【００２３】
コンピュータ・システムが、否定的指示を、コンピュータのユーザ・インターフェイス上で提供する可能性を提供することにより、ユーザは、そのユーザの当のアイデンティティとの比較において、同じ／正しい人間ではないことに対して、そのユーザがコンピュータ・システムにより確認されたならば／ときに通知されることになる。
【００２４】
本発明の実施例によれば、そこにおいて、肯定的指示又は否定的指示が提供されたときに、方法は、肯定的指示又は否定的指示を、第１及び第２の人間の、記憶される一意的な識別子、及び、記憶される指紋データと関連して、並びに、場合によってはさらに、比較することの時間及び日付と関連して記憶するステップを含み得る。
【００２５】
肯定的又は否定的指示を、ユーザの記憶される他の個人データと関連して、並びに、場合によってはさらに、捕捉することの時間及び日付と関連して記憶することは、コンピュータ・システムの所有者に、例えば、事象の成り行きに関して再確認する、又は統計的分析を行う、プロセスにおける後程の可能性を提供することになる。
【００２６】
１つの態様によれば、本発明は、第１又は第２の部類の人間の生体認証のためのコンピュータ・システムに関わる。そこにおいて、コンピュータ・システムは、第１の部類の第１の人間の記憶される一意的な識別子及び指紋データ、並びに、第２の部類の第２の人間の記憶される一意的な識別子及び指紋データへのアクセスを有する。そこにおいて、コンピュータ・システムは、第１の人間の一意的な識別子を、コンピュータのユーザ・インターフェイスにおいて受信することと、第２の人間の一意的な識別子を、コンピュータのユーザ・インターフェイスにおいて受信することと、第１の指紋データを、コンピュータの指紋リーダにおいて取得することとを行うように配置構成される。第１の指紋データは第１の人間のものであるとされており、第２の指紋データを、コンピュータの指紋リーダにおいて取得する。第２の指紋データは第２の人間のものであるとされており、第１の指紋データの取得することが、第２の指紋データの取得することから、第１の所定の時間間隔の中で遂行されるならば、取得された第１の指紋データを、第１の人間の記憶される指紋データと比較し、取得された第２の指紋データを、第２の人間の記憶される指紋データと比較し、第１の人間の記憶される指紋データと比較される第１の指紋データ、及び、第２の人間の記憶される指紋データと比較される第２の指紋データの両方に対して、一致が確認されるときに、肯定的指示を、コンピュータのユーザ・インターフェイス上で提供する。
【００２７】
所定の時間において、１つの地理的位置において、生体認証が検証されるために、掛かり合いのある２つの異なる部類の２人の人間が、常に、短時間の中で存在しなければならないという事実は、説明されるコンピュータ・システム、及び、発生する社会的制御が、コンピュータ／制御システムの詐欺／改ざんの危険性を劇的に減少させるということを示唆する。このことは、全体として、組織及び／又は社会における潜在的な財務的損失の危険性を減少させる。
【００２８】
別の態様によれば、コンピュータ・プログラムは、コンピュータ・システム上で実行されるときに、コンピュータ・システムに、対応する方法を実行させる、コンピュータ可読コード手段を含む。
【００２９】
別の態様によれば、コンピュータ・プログラム製品は、コンピュータ可読媒体と、コンピュータ・プログラムとを含む。そこにおいて、コンピュータ・プログラムは、コンピュータ可読媒体上に記憶される。
【００３０】
コンピュータ・システムは、少なくとも１つの指紋リーダ、少なくとも１つのユーザ・インターフェイス、及び、データ取り扱いのための少なくとも１つのＰＣＢなどのデバイスを含み得る、モバイル・デバイスを備え得る。デバイスは、２つの指紋リーダを備え得るものであり、１つのリーダは、具体的には、第１の人間に対して実現され、第２のリーダは、具体的には、第２の人間に対して実現される。モバイル・デバイスは、データの転送のために、コンピュータ・システムの他部に、ケーブル又はワイヤレスにより接続され得る。
【００３１】
展開されることになるコンピュータ・システムに対する１つの実例は、医師が患者の家庭訪問を為しているときである。指紋及び一意的な識別子などの個人データが、この訪問より前に、中央データベース内に記憶される。モバイル・デバイスが、次いで、一意的な識別子を選択し、現場において医師及び患者から指紋を収集するために使用される。収集されたデータは、ワイヤレスで、モバイル・デバイスから、比較するステップが遂行される中央サーバに転送される。一致の肯定的又は否定的指示が、中央サーバからモバイル・デバイスに転送される。
【００３２】
展開されることになるコンピュータ・システムに対する別の実例は、患者が歯科医を訪問するときである。患者及び歯科医は、次いで、患者が医師により家庭において訪問されるときの実例においてと同じ様式で、地域の歯科医の医院において、生体認証を為すことができる。
【００３３】
説明される方法において、第１の部類の人間は、上記で説明された患者であり得るものであり、第２の部類の人間は、上記で説明された医療／歯科開業医であり得る。
【００３４】
説明されるコンピュータ・システムは、権限のない要員により操作され得ないものであり、なぜならば、コンピュータ・システムのユーザ・インターフェイスは、データを変化させる、削除する、又は操作する可能性を与えないからである。説明される方法は、非操作的なシステムに対する事例をさらに強化する。
【００３５】
コンピュータ・システムに通信可能に接続されるデバイスを、ロック解除／ロックすることを、そのデバイスにロック解除信号を送出することにより行うために使用される信号は、例えば、ケーブルを経て、又は、ワイヤレス手段により送出される、例えば、電子的又は光学的タイプのものであり得る。
【００３６】
時間及び日付は、例えばインターネットからの外部供給源からとられ、中央で記憶され得る。時間及び日付は、コンピュータ・システムにおいて、権限のない要員により変化させられる、削除される、又は改変されることはあり得ない。
【００３７】
さらには、生体認証プロセスのためのシステムを使用する３人以上の人間が存在することがある。
【００３８】
一意的な識別子は、例えば、特に、国民識別番号（ｎａｔｉｏｎａｌ  ｉｄｅｎｔｉｆｉｃａｔｉｏｎ  ｎｕｍｂｅｒ）、国民アイデンティティ番号（ｎａｔｉｏｎａｌ  ｉｄｅｎｔｉｔｙ  ｎｕｍｂｅｒ）、個人アイデンティティ番号（ｐｅｒｓｏｎａｌ  ｉｄｅｎｔｉｔｙ  ｎｕｍｂｅｒ）、国民保険番号、国民保健サービス番号、社会保障番号、パスポート番号、名前、電子メール・アドレス、電話番号であり得る。
【００３９】
請求項１における第１の所定の時間間隔は、自分の指紋データをシステムに提供する少なくとも２人の人間に対しての充分な時間間隔であるように組織が決定する、任意の時間間隔であり得る。所定の時間間隔は、例えば、特に、０〜６０秒であり得る。
【００４０】
請求項２における第２の所定の時間間隔は、その間に一致が確認される、及び、画像が第１の人間についてとられるための、適した時間間隔であるように組織が決定する、任意の時間間隔であり得る。第２の所定の時間間隔は、例えば、特に、０〜１０秒であり得る。
【００４１】
確認された第１の人間の画像の、一致が確認された後の所定の時間間隔の中での捕捉することは、例えば、コンピュータに接続されるカメラによって遂行され得る。
【００４２】
請求項１において、当の第１の人間の指紋データの、コンピュータの指紋リーダにおいての取得するステップより前に、後に続くステップ、すなわち、コンピュータのユーザ・インターフェイスにおいて、第１の人間及び第２の人間の指紋データを取得するための指示を受信するステップが実現され得る。
【００４３】
本発明を、今から、実例として、付随する図面を参照して説明する。
【図面の簡単な説明】
【００４４】
【図１】実施例による手順のフローチャートである。
【図２】実施例による手順のフローチャートである。
【図３】実施例による手順のフローチャートである。
【図４】実施例による手順のフローチャートである。
【図５】実施例による手順のフローチャートである。
【図６】実施例による手順のフローチャートである。
【図７】可能な実施例によって例示するブロック図である。
【図８】可能な実施例によって例示するブロック図である。
【発明を実施するための形態】
【００４５】
以下に、第１又は第２の部類の人間の生体認証のためのコンピュータ・システムにより実行される方法の詳細な説明が提供される。
【００４６】
図１は、コンピュータ・システムにおける手順を例示するフローチャートを示す。様々な作用が、本説明において提示されるのと異なる順序で、又は、本説明に関係付けられる、この若しくは他のフローチャートにおいて示されるのと異なる順序で生じることがあり、或いは、一部のステップは、並列に実行されることがある。
【００４７】
ステップＳ１００において、第１の人間６の一意的な識別子４が、コンピュータ１１のユーザ・インターフェイス１０において受信される。ステップＳ１０５において、第２の人間９の一意的な識別子７が、コンピュータ１１のユーザ・インターフェイス１０において受信される。ステップＳ１１０において、第１の指紋データ１２が、コンピュータ１１の指紋リーダ１３において取得される。第１の指紋データ１２は第１の人間６のものであるとされている。ステップＳ１１５において、第２の指紋データ１４が、コンピュータ１１の指紋リーダ１３において取得される。第２の指紋データ１４は第２の人間９のものであるとされている。ステップＳ１２０において、第１の指紋データ１２の取得することが、第２の指紋データ１４の取得することから、第１の所定の時間間隔１７の中で遂行されるかどうかが決定される。ステップＳ１２５において、取得された第１の指紋データ１２が、第１の人間６の記憶される指紋データ５と比較される。ステップＳ１３０において、取得された第２の指紋データ１４が、第２の人間９の記憶される指紋データ８と比較される。ステップＳ１３５において、第１の人間６の記憶される指紋データ５と比較される第１の指紋データ１２、及び、第２の人間９の記憶される指紋データ８と比較される第２の指紋データ１４の両方に対して、一致が確認されるかどうかを決定する。ステップＳ１４０において、肯定的指示１５が、コンピュータ１１のユーザ・インターフェイス１０上で提供される。
【００４８】
図２は、コンピュータ・システムにおける手順を例示するフローチャートを示す。様々な作用が、本説明において提示されるのと異なる順序で、又は、本説明に関係付けられる、この若しくは他のフローチャートにおいて示されるのと異なる順序で生じることがあり、或いは、一部のステップは、並列に実行されることがある。
【００４９】
ステップＳ２００において、第１の人間６の記憶される指紋データ５と比較される第１の指紋データ１２に対する一致が確認される。ステップＳ２０５において、確認された第１の人間６の画像１６が、一致が確認された後の第２の所定の時間間隔１８の中で捕捉される。ステップＳ２１０において、捕捉された画像１６は、第１の人間６の記憶される一意的な識別子４、及び、記憶される指紋データ５と関連して、並びに、場合によってはさらに、捕捉することの時間１９及び日付２０と関連して記憶される。
【００５０】
図３は、コンピュータ・システムにおける手順を例示するフローチャートを示す。様々な作用が、本説明において提示されるのと異なる順序で、又は、本説明に関係付けられる、この若しくは他のフローチャートにおいて示されるのと異なる順序で生じることがあり、或いは、一部のステップは、並列に実行されることがある。
【００５１】
ステップＳ３００において、第１の人間６の記憶される指紋データ５と比較される第１の指紋データ１２、及び、第２の人間９の記憶される指紋データ８と比較される第２の指紋データ１４の両方に対する一致が確認される。ステップＳ３０５において、コンピュータ・システム１に通信可能に接続されるデバイス２１が、ロック解除及び／又はロックされることが、そのデバイス２１にロック解除信号２２を送出することにより行われる。
【００５２】
図４は、コンピュータ・システムにおける手順を例示するフローチャートを示す。様々な作用が、本説明において提示されるのと異なる順序で、又は、本説明に関係付けられる、この若しくは他のフローチャートにおいて示されるのと異なる順序で生じることがあり、或いは、一部のステップは、並列に実行されることがある。
【００５３】
ステップＳ４００において、第１の人間６の一意的な識別子４を追加するための指示が、コンピュータ１１のユーザ・インターフェイス１０において受信される。ステップＳ４０５において、第１の人間６の一意的な識別子４が、コンピュータ１１のユーザ・インターフェイス１０において受信される。ステップＳ４１０において、第１の人間６の一意的な識別子４が記憶される。ステップＳ４１５において、第１の人間６の指紋データ５を追加するための指示が、コンピュータ１１のユーザ・インターフェイス１０において受信される。ステップＳ４２０において、第１の人間６の指紋データ５が、コンピュータ１１の指紋リーダ１３において取得される。ステップＳ４２５において、第１の人間６の指紋データ５が、第１の人間６の記憶される一意的な識別子４と関連して、並びに、場合によってはさらに、取得することの時間１９及び日付２０と関連して記憶される。
【００５４】
図５は、コンピュータ・システムにおける手順を例示するフローチャートを示す。様々な作用が、本説明において提示されるのと異なる順序で、又は、本説明に関係付けられる、この若しくは他のフローチャートにおいて示されるのと異なる順序で生じることがあり、或いは、一部のステップは、並列に実行されることがある。
【００５５】
ステップＳ５００において、第２の人間９の一意的な識別子７を追加するための指示が、コンピュータ１１のユーザ・インターフェイス１０において受信される。ステップＳ５０５において、第２の人間９の一意的な識別子７が、コンピュータ１１のユーザ・インターフェイス１０において受信される。ステップＳ５１０において、第２の人間９の一意的な識別子７が記憶される。ステップＳ５１５において、第２の人間９の指紋データ８を追加するための指示が、コンピュータ１１のユーザ・インターフェイス１０において受信される。ステップＳ５２０において、第２の人間９の指紋データ８が、コンピュータ１１の指紋リーダ１３において取得される。ステップＳ５２５において、第２の人間９の指紋データ８が、第２の人間９の記憶される一意的な識別子７と関連して、並びに、場合によってはさらに、取得することの時間１９及び日付２０と関連して記憶される。
【００５６】
図６は、コンピュータ・システムにおける手順を例示するフローチャートを示す。様々な作用が、本説明において提示されるのと異なる順序で、又は、本説明に関係付けられる、この若しくは他のフローチャートにおいて示されるのと異なる順序で生じることがあり、或いは、一部のステップは、並列に実行されることがある。
【００５７】
ステップ６．１において、第１の人間６の一意的な識別子４が、コンピュータ１１のユーザ・インターフェイス１０において受信される。ステップ６．２において、第２の人間９の一意的な識別子７が、コンピュータ１１のユーザ・インターフェイス１０において受信される。ステップ６．３において、第１の指紋データ１２が、コンピュータ１１の指紋リーダ１３において取得される。第１の指紋データ１２は第１の人間６のものであるとされている。ステップ６．４において、第２の指紋データ１４が、コンピュータ１１の指紋リーダ１３において取得される。第２の指紋データ１４は第２の人間９のものであるとされている。ステップ６．５において、第１の指紋データ１２の取得することが、第２の指紋データ１４の取得することから、第１の所定の時間間隔１７の中で遂行されるかどうかが決定される。ステップ６．６において、取得された第１の指紋データ１２が、第１の人間６の記憶される指紋データ５と比較される。さらにまた、取得された第２の指紋データ１４が、第２の人間９の記憶される指紋データ８と比較される。ステップ６．７において、第１の人間６の記憶される指紋データ５と比較される第１の指紋データ１２、及び、第２の人間９の記憶される指紋データ８と比較される第２の指紋データ１４の両方に対して、一致が確認されるかどうかを決定する。さらにまた、肯定的指示１５を、一致が確認されるときに、コンピュータ１１のユーザ・インターフェイス１０上で提供する。
【００５８】
図７は、プロセッサ７．１、メモリ７．２、データ管理ユニット７．３、データベース７．４、及びユーザ・インターフェイス７．５などの構成要素を含むコンピュータ１１を示す。
【００５９】
図８は、コンピュータ（１１）のユーザ・インターフェイス（１０）、コンピュータ（１１）に接続されるカメラ、第１の人間（６）、及び、第２の人間（９）を示す。
【図１】
2020517007.tif 000003
【図２】
2020517007.tif 000004
【図３】
2020517007.tif 000005
【図４】
2020517007.tif 000006
【図５】
2020517007.tif 000007
【図６】
2020517007.tif 000008
【図７】
2020517007.tif 000009
【図８】
2020517007.tif 000010
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
第１（２）又は第２の部類（３）の人間の生体認証のためのコンピュータ・システム（１）により実行される方法であって、前記コンピュータ・システム（１）は、データベースを備え、該データベースは、前記第１の部類（２）の第１の人間（６）の記憶される一意的な識別子（４）及び指紋データ（５）、並びに、前記第２の部類（３）の第２の人間（９）の記憶される一意的な識別子（７）及び指紋データ（８）を備え、前記方法は、
前記第１の人間（６）の前記一意的な識別子（４）を、コンピュータ（１１）のユーザ・インターフェイス（１０）において受信するステップと、
前記第２の人間（９）の前記一意的な識別子（７）を、前記コンピュータ（１１）の前記ユーザ・インターフェイス（１０）において受信するステップと、
第１の指紋データ（１２）を、前記コンピュータ（１１）の指紋リーダ（１３）において取得するステップであって、前記第１の指紋データ（１２）は、前記第１の人間（６）のものであるとされている、取得するステップと、
第２の指紋データ（１４）を、前記コンピュータ（１１）の前記指紋リーダ（１３）において取得するステップであって、前記第２の指紋データ（１４）は、前記第２の人間（９）のものであるとされている、取得するステップと、
前記第１の指紋データ（１２）を取得する前記ステップが、前記第２の指紋データ（１４）を取得する前記ステップから、第１の所定の時間間隔（１７）の中で遂行される場合、
取得された前記第１の指紋データ（１２）を、前記第１の人間（６）の記憶される前記指紋データ（５）と比較するステップと、
取得された前記第２の指紋データ（１４）を、前記第２の人間（９）の記憶される前記指紋データ（８）と比較するステップと、
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対して、一致が確認されるときに、肯定的指示（１５）を、前記コンピュータ（１１）の前記ユーザ・インターフェイス（１０）上で提供するステップと
を含む、方法。
【請求項２】
前記第１の人間（６）の記憶される前記指紋データ（５）と比較される前記第１の指紋データ（１２）に対する、確認された一致に応答して、前記方法は、
確認された前記第１の人間（６）の画像（１６）を、前記一致が確認された後の第２の所定の時間間隔（１８）の中で捕捉するステップと、
捕捉された前記画像（１６）を、前記第１の人間（６）の記憶される前記一意的な識別子（４）、及び、記憶される指紋データ（５）と関連して、並びに、場合によってはさらに、捕捉する前記ステップの時間（１９）及び日付（２０）と関連して記憶するステップと
を含む、請求項１に記載の方法。
【請求項３】
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対する、確認された一致に応答して、前記方法は、
前記コンピュータ・システム（１）に通信可能に接続されるデバイス（２１）を、ロック解除及び／又はロックすることを、
前記デバイス（２１）にロック解除信号（２２）を送出すること
により行うステップ
を含む、請求項１又は２に記載の方法。
【請求項４】
前記第１の部類（２）の前記第１の人間（６）の記憶される一意的な識別子（４）及び指紋データ（５）への前記コンピュータ・システムのアクセスを達成するために、前記方法は、
前記第１の人間（６）の一意的な識別子（４）を追加するための指示を、前記コンピュータ（１１）の前記ユーザ・インターフェイス（１０）において受信するステップと、
前記第１の人間（６）の前記一意的な識別子（４）を、前記コンピュータ（１１）の前記ユーザ・インターフェイス（１０）において受信するステップと、
前記第１の人間（６）の前記一意的な識別子（４）を記憶するステップと、
前記第１の人間（６）の指紋データ（５）を追加するための指示を、前記コンピュータ（１１）の前記ユーザ・インターフェイス（１０）において受信するステップと、
前記第１の人間（６）の前記指紋データ（５）を、前記コンピュータ（１１）の前記指紋リーダ（１３）において取得するステップと、
前記第１の人間（６）の前記指紋データ（５）を、前記第１の人間（６）の記憶される前記一意的な識別子（４）と関連して、並びに、場合によってはさらに、取得する前記ステップの時間（１９）及び日付（２０）と関連して記憶するステップと
を含む、請求項１から３までのいずれかに記載の方法。
【請求項５】
前記第２の部類（３）の前記第２の人間（９）の記憶される一意的な識別子（７）及び指紋データ（８）への前記コンピュータ・システムのアクセスを達成するために、前記方法は、
前記第２の人間（９）の一意的な識別子（７）を追加するための指示を、前記コンピュータ（１１）の前記ユーザ・インターフェイス（１０）において受信するステップと、
前記第２の人間（９）の前記一意的な識別子（７）を、前記コンピュータ（１１）の前記ユーザ・インターフェイス（１０）において受信するステップと、
前記第２の人間（９）の前記一意的な識別子（７）を記憶するステップと、
前記第２の人間（９）の指紋データ（８）を追加するための指示を、前記コンピュータ（１１）の前記ユーザ・インターフェイス（１０）において受信するステップと、
前記第２の人間（９）の前記指紋データ（８）を、前記コンピュータ（１１）の前記指紋リーダ（１３）において取得するステップと、
前記第２の人間（９）の前記指紋データ（８）を、前記第２の人間（９）の記憶される前記一意的な識別子（７）と関連して、並びに、場合によってはさらに、取得する前記ステップの時間（１９）及び日付（２０）と関連して記憶するステップと
を含む、請求項１から４までのいずれかに記載の方法。
【請求項６】
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の任意のものに対して、一致が確認されないときに応答して、前記方法は、
否定的指示（２５）を、前記コンピュータ（１１）の前記ユーザ・インターフェイス（１０）上で提供するステップ
を含む、請求項１から５までのいずれかに記載の方法。
【請求項７】
前記肯定的指示（１５）又は前記否定的指示（２５）が提供されたときに、前記方法は、
前記肯定的指示（１５）又は前記否定的指示（２５）を、前記第１（６）及び前記第２の人間（９）の、記憶される前記一意的な識別子（４、７）、及び、記憶される前記指紋データ（５、８）と関連して、並びに、場合によってはさらに、比較する前記ステップの時間（１９）及び日付（２０）と関連して記憶するステップ
を含む、請求項１から６までのいずれかに記載の方法。
【請求項８】
第１（２）又は第２の部類（３）の人間の生体認証のためのコンピュータ・システム（１）であって、前記第１の部類（２）の第１の人間（６）の記憶される一意的な識別子（４）及び指紋データ（５）、並びに、前記第２の部類（３）の第２の人間（９）の記憶される一意的な識別子（７）及び指紋データ（８）へのアクセスを有し、
前記第１の人間（６）の前記一意的な識別子（４）を、コンピュータ（１１）のユーザ・インターフェイス（１０）において受信することと、
前記第２の人間（９）の前記一意的な識別子（７）を、前記コンピュータ（１１）の前記ユーザ・インターフェイス（１０）において受信することと、
第１の指紋データ（１２）を、前記コンピュータ（１１）の指紋リーダ（１３）において取得することであって、前記第１の指紋データ（１２）は、前記第１の人間（６）のものであるとされている、取得することと、
第２の指紋データ（１４）を、前記コンピュータ（１１）の前記指紋リーダ（１３）において取得することであって、前記第２の指紋データ（１４）は、前記第２の人間（９）のものであるとされている、取得することと、
前記第１の指紋データ（１２）を前記取得することが、前記第２の指紋データ（１４）を前記取得することから、第１の所定の時間間隔（１７）の中で遂行される場合、
取得された前記第１の指紋データ（１２）を、前記第１の人間（６）の記憶される前記指紋データ（５）と比較することと、
取得された前記第２の指紋データ（１４）を、前記第２の人間（９）の記憶される前記指紋データ（８）と比較することと、
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対して、一致が確認されるときに、肯定的指示（１５）を、前記コンピュータ（１１）の前記ユーザ・インターフェイス（１０）上で提供することと
を行うように配置構成される、コンピュータ・システム（１）。
【請求項９】
請求項８に記載のコンピュータ・システム上で実行されるときに、前記コンピュータ・システムに、請求項１から７までのいずれかに記載の対応する方法を実行させる、コンピュータ可読コード手段を含むコンピュータ・プログラム。
【請求項１０】
コンピュータ可読媒体と、請求項９に記載のコンピュータ・プログラムとを含むコンピュータ・プログラム製品であって、前記コンピュータ・プログラムは、前記コンピュータ可読媒体上に記憶される、コンピュータ・プログラム製品。
【国際調査報告】
2020517007.tif 000011
2020517007.tif 000012
2020517007.tif 000013